(57)【特許請求の範囲】
【請求項１】
ケーシング（１２）と、該ケーシング（１２）の内部空間（２４）に配置された、蒸気弁（１００）を有する蓄圧装置（７０）とを含み、前記ケーシング（１２）が第１のケーシング外壁（１６）と第２のケーシング外壁（１８）とを有するケーシング外壁装置（１４）を含み、前記第１のケーシング外壁（１６）及び前記第２のケーシング外壁（１８）が相互に接合されている手持ち式蒸気装置において、前記ケーシング外壁装置（１４）が前記内部空間（２４）へ通じる開口（５０）を備え、該開口（５０）には同開口（５０）を閉じるケーシング填め込み部（５８）が配置され、該ケーシング填め込み部（５８）に、蒸気放出部操作要素（９２）、前記蒸気弁（１００）を作動させるために該蒸気弁（１００）へ作用することができる可動式レバー要素（１０８）、及び、子供安全装置操作要素（９４）のうち少なくとも１つの要素が配置されていること、及び、前記蒸気放出部操作要素（９２）、前記子供安全装置操作要素（９４）及び前記レバー要素（１０８）を含む第１の構成ユニットと、前記蓄圧装置（７０）を含む第２の構成ユニットとを備え、前記第１の構成ユニット及び前記第２の構成ユニットが前記ケーシング填め込み部（５８）上に配置されている及び／又は保持されていることを特徴とする手持ち式蒸気装置。
【請求項２】
前記蒸気放出部操作要素（９２）が前記レバー要素（１０８）に作用することを特徴とする請求項１に記載の手持ち式蒸気装置。
【請求項３】
前記子供安全装置操作要素（９４）がロック位置（９６）にあるときには前記レバー要素（１０８）による前記蒸気弁（１００）の操作が禁止され、解放位置（９８）にあるときには前記レバー要素（１０８）による前記蒸気弁（１００）の操作が許可されるように、前記子供安全装置操作要素（９４）が前記レバー要素（１０８）に作用することを特徴とする請求項１又は２に記載の手持ち式蒸気装置。
【請求項４】
前記ケーシング填め込み部（５８）に前記レバー要素（１０８）の運動のための案内部が設けられていることを特徴とする請求項１〜３のいずれかに記載の手持ち式蒸気装置。
【請求項５】
前記レバー要素（１０８）が少なくとも一部領域で揺動自在に前記ケーシング填め込み部（５８）上に横たわっており、特に前記内部空間（２４）に配置されていることを特徴とする請求項１〜４のいずれかに記載の手持ち式蒸気装置。
【請求項６】
前記レバー要素（１０８）が前記蒸気放出部操作要素（９２）のための作用領域（１１８）を備え、該作用領域（１１８）に前記蒸気放出部操作要素（９２）を押し付けると前記レバー要素（１０８）が前記蒸気弁（１００）に作用して該蒸気弁を開くことを特徴とする請求項１〜５のいずれかに記載の手持ち式蒸気装置。
【請求項７】
前記レバー要素（１０８）が十分な力で前記蒸気弁に作用していないときには該蒸気弁（１００）が閉じていることを特徴とする請求項６に記載の手持ち式蒸気装置。
【請求項８】
前記蒸気放出部操作要素（９２）が作動していないときに前記レバー要素（１０８）を元の位置に戻す戻し装置（１２２）を備えることを特徴とする請求項１〜７のいずれかに記載の手持ち式蒸気装置。
【請求項９】
前記戻し装置（１２２）が前記蒸気弁（１００）に接触する及び／又は前記レバー要素（１０８）の表面に接触することを特徴とする請求項８に記載の手持ち式蒸気装置。
【請求項１０】
前記戻し装置がバネ装置（１２２）を含むことを特徴とする請求項８又は９に記載の手持ち式蒸気装置。
【請求項１１】
前記バネ装置が前記レバー要素自身の弾性によって構成されていることを特徴とする請求項１０に記載の手持ち式蒸気装置。
【請求項１２】
前記レバー要素（１０８）の作用領域（１１２）と前記蒸気弁（１００）の作用領域（１１０）との間に少なくとも１つのバネ（１１４）が配置されていることを特徴とする請求項１〜１１のいずれかに記載の手持ち式蒸気装置。
【請求項１３】
前記第１のケーシング外壁（１６）及び／又は前記第２のケーシング外壁（１８）が、前記ケーシング外壁装置（１４）の開口（５０）となる開口を有していることを特徴とする請求項１〜１２のいずれかに記載の手持ち式蒸気装置。
【請求項１４】
前記蓄圧装置（７０）が前記ケーシング填め込み部（５８）に保持されていることを特徴とする請求項１〜１３のいずれかに記載の手持ち式蒸気装置。
【請求項１５】
前記蓄圧装置（７０）が前記内部空間（２４）に装入され、特に前記ケーシング填め込み部（５８）により固定されていることを特徴とする請求項１４に記載の手持ち式蒸気装置。
【請求項１６】
前記第１のケーシング外壁（１６）及び／又は前記第２のケーシング外壁（１８）上に前記蓄圧装置（７０）用の少なくとも１つの当接要素（７８）が配置されていることを特徴とする請求項１５に記載の手持ち式蒸気装置。
【請求項１７】
前記蓄圧装置（７０）が、前記ケーシング填め込み部（５８）上で保持される接続用パイプ（６８）を備えていることを特徴とする請求項１４〜１６のいずれかに記載の手持ち式蒸気装置。
【請求項１８】
前記接続用パイプ（６８）と前記ケーシング填め込み部（５８）との間にパッキング（７２）が配置されていることを特徴とする請求項１７に記載の手持ち式蒸気装置。
【請求項１９】
前記接続用パイプ（６８）には、前記ケーシング填め込み部（５８）を超えて外側からアクセスできる着脱自在な蓋（８２）が配置されることを特徴とする請求項１７又は１８に記載の手持ち式蒸気装置。
【請求項２０】
前記第１のケーシング外壁（１６）及び前記第２のケーシング外壁（１８）に接合面（２０）が割り当てられ、該接合面上で前記第１のケーシング外壁（１６）と前記第２のケーシング外壁（１８）が相互に接合されることを特徴とする請求項１〜１９のいずれかに記載の手持ち式蒸気装置。
【請求項２１】
前記ケーシング外壁装置（１４）の前記開口（５０）が前記接合面（２０）上にあることを特徴とする請求項２０に記載の手持ち式蒸気装置。
【請求項２２】
前記ケーシング外壁装置（１４）への前記ケーシング填め込み部（５８）の填め込み方向（６０）が前記第１のケーシング外壁（１６）と前記第２のケーシング外壁（１８）の間の接合方向（２２）と交差するように向けられていることを特徴とする請求項２０又は２１に記載の手持ち式蒸気装置。
【請求項２３】
前記ケーシング外壁装置（１４）の前記開口（５０）が、該開口（５０）を通じて前記蓄圧装置（７０）を前記内部空間（２４）へ装入できるような寸法になっていることを特徴とする請求項１〜２２のいずれかに記載の手持ち式蒸気装置。
【請求項２４】
前記ケーシング填め込み部（５８）が前記ケーシング外壁装置（１４）に固定されていることを特徴とする請求項１〜２３のいずれかに記載の手持ち式蒸気装置。
【請求項２５】
前記ケーシング填め込み部（５８）が屈曲又は湾曲した形状を有していることを特徴とする請求項１〜２４のいずれかに記載の手持ち式蒸気装置。
【請求項２６】
前記ケーシング填め込み部（５８）の第１の領域（６４）に前記蓄圧装置（７０）が保持され、前記第１の領域（６４）に対して屈曲又は湾曲した第２の領域（９０）に前記蒸気放出部操作要素（９２）及び／又は前記子供安全装置操作要素（９４）が配置されていることを特徴とする請求項２５に記載の手持ち式蒸気装置。
【発明の詳細な説明】
【技術分野】
【０００１】
本発明は、ケーシングと、該ケーシングの内部空間に配置された、蒸気弁を有する蓄圧装置とを含み、前記ケーシングが第１のケーシング外壁と第２のケーシング外壁とを有するケーシング外壁装置を含み、前記第１のケーシング外壁及び第２のケーシング外壁が相互に接合されている、手持ち式蒸気装置に関する。
【背景技術】
【０００２】
手持ち式蒸気装置は、例えば蒸気を用いた洗浄のために、あるいはアイロンでの応用に関連して用いられる。
【０００３】
DE 103 10 251 B3より、洗浄対象面に吹き付け可能な蒸気を発生させるための電気的に加熱可能な蒸気釜を有する蒸気発生器を囲繞するケーシングを有する蒸気洗浄装置であって、前記ケーシングが２つの組み立て可能な半ケーシング外壁を備えるものが知られている。ケーシングの内部には２つの半ケーシング外壁の間に延在して蒸気釜を覆っている保護カバーがある。
【０００４】
蒸気装置は、例えばEP 0 875 194 A1、DE 200 01 650 U1、US 6,314,972 B1、DE 201 11 327 U1、US 6,382,142、DE 202 01 959 U1、DE 202 02 643 U1、DE 203 00 618 U1、DE 103 51 878 B3、EP 1 527 827 A2、DE 20 2006 009 634 U1、EP 0 269 369 A2、US 6,615,515 B1、US 2008/0022480 A1、EP 7 254 116 A2、DE 20 2009 006 788 U1、EP 2 275 282 A1、WO 2011/127976 A1、CN 201524670 U、CN 102049393 A、CN 201711302 U、CN 201823723 U、CN 2019669703 U、JP 2000-202382 A、CN 2629854 Y又はCN 2768907 Yから知られている。
【先行技術文献】
【特許文献】
【０００５】
【特許文献１】DE 103 10 251 B3
【特許文献２】EP 0 875 194 A1
【特許文献３】DE 200 01 650 U1
【特許文献４】US 6,314,972 B1
【特許文献５】DE 201 11 327 U1
【特許文献６】US 6,382,142
【特許文献７】DE 202 01 959 U1
【特許文献８】DE 202 02 643 U1
【特許文献９】DE 203 00 618 U1
【特許文献１０】DE 103 51 878 B3
【特許文献１１】EP 1 527 827 A2
【特許文献１２】DE 20 2006 009 634 U1
【特許文献１３】EP 0 269 369 A2
【特許文献１４】US 6,615,515 B1
【特許文献１５】US 2008/0022480 A1
【特許文献１６】EP 7 254 116 A2
【特許文献１７】DE 20 2009 006 788 U1
【特許文献１８】EP 2 275 282 A1
【特許文献１９】WO 2011/127976 A1
【特許文献２０】CN 201524670 U
【特許文献２１】CN 102049393 A
【特許文献２２】CN 201711302 U
【特許文献２３】CN 201823723 U
【特許文献２４】CN 2019669703 U
【特許文献２５】JP 2000-202382 A
【特許文献２６】CN 2629854 Y
【特許文献２７】CN 2768907 Y
【発明の概要】
【発明が解決しようとする課題】
【０００６】
本発明の基礎を成す課題は、簡単な構造で容易に製造可能な手持ち式蒸気装置を提供することである。
【課題を解決するための手段】
【０００７】
この課題は、冒頭に挙げた手持ち式蒸気装置において本発明により以下のように解決される。即ち、前記ケーシング外壁装置がその内部空間へ通じる開口を備え、該開口には同開口を閉じるケーシング填め込み部が配置され、該ケーシング填め込み部に、蒸気放出部操作要素、前記蒸気弁を作動させるために該蒸気弁へ作用することができる可動式レバー要素、及び、子供安全装置操作要素のうち少なくとも１つの要素が配置される。
【０００８】
本発明に係る解決策では、前記開口を閉じるケーシング填め込み部が手持ち式蒸気装置の操作要素の保持のために利用される。特に、蒸気放出部操作要素、可動式レバー要素及び子供安全装置操作要素がケーシング填め込み部上に配置される。これにより部品点数を少なくすることができる。
【０００９】
それゆえ、ケーシング外壁装置を単なる被覆部材として利用することができる。
【００１０】
上記構成により手持ち式蒸気装置の製造が簡単になる。僅かな点数の構成部品又は構成ユニットを相互に接合するだけで済む。
【００１１】
特に、蒸気放出部操作要素がレバー要素に作用する。このレバー要素が今度は蒸気弁に作用して該蒸気弁を開閉させる。レバー要素が蒸気放出部操作要素と蒸気弁との間の変速部となる。
【００１２】
子供安全装置操作要素がロック位置にあるときにはレバー要素による蒸気弁の操作が禁止され、解放位置にあるときにはレバー要素による蒸気弁の操作が許可されるように、子供安全装置操作要素がレバー要素に作用すると有利である。このようにすれば、例えば圧力放出部操作要素への押下力を蒸気弁に伝えるレバー要素を、子供安全装置にも利用できる。これにより部品点数が最小限に抑えられる。
【００１３】
ケーシング填め込み部にレバー要素の運動のための案内部が設けられていると有利である。これにより、部品点数を最小限に抑えても最適な機能の仕方を実現できる。
【００１４】
レバー要素が少なくとも一部領域で揺動自在にケーシング填め込み部上に横たわっており、特に前記内部空間に配置されていると更に有利である。圧力放出部操作要素を介して揺動が実現され、それにより他方で蒸気弁を操作することができる。
【００１５】
レバー要素が蒸気放出部操作要素のための作用領域を備え、該作用領域に蒸気放出部操作要素を押し付けるとレバー要素が蒸気弁に作用して該蒸気弁を開くようにすると更に有利である。これにより、部品点数が最小限に抑えられて手持ち式蒸気装置の構造が簡素化されても最適な駆動を達成できる。
【００１６】
レバー要素が十分な力で蒸気弁に作用していないときには蒸気弁が閉じているようにすると特に有利である。
【００１７】
蒸気放出部操作要素が作動していないときにレバー要素を元の位置に戻す戻し装置が設けられていると有利である。これにより、手持ち式蒸気装置を安全且つ最適な方法で操作できる。
【００１８】
特に、戻し動作を生じさせるために、戻し装置が蒸気弁に接触する及び／又はレバー要素に接触するようにする。
【００１９】
一実施例では、戻し装置がバネ装置を含む。バネ装置は適宜の弾性的な戻し力を発生させる。
【００２０】
一実施例では、バネ装置がレバー要素自身の弾性によって構成されている。
【００２１】
レバー要素の作用領域と蒸気弁の作用領域との間に少なくとも１つのバネが配置されていると非常に有利である。この少なくとも１つのバネは十分な硬さを有する。このバネはレバー要素の作用領域と蒸気弁の作用領域との間で力を伝達する（この力の伝達により一方向への蒸気弁の開放動作が生じる。蒸気弁の戻し装置がレバー要素の戻し動作を生じさせる場合には、前記バネが逆方向にも力を伝達する）。少なくとも１つのバネは、バネの成す形に基づいてその高さが変わり得る。これにより、その少なくとも１つのバネを介してケーシングの製造時の公差が補われる。そのような仕上げ公差があっても、蒸気弁の操作部を確実に機能させることができる。
【００２２】
第１のケーシング外壁及び／又は第２のケーシング外壁が、ケーシング外壁装置の開口となる（部分）開口を有していると更に有利である。第１のケーシング外壁及び／又は第２のケーシング外壁はそれに対応する切除部を備える。
【００２３】
蓄圧装置がケーシング填め込み部に保持されていると特に非常に有利である。これにより、簡単に製造できる簡素な構造の手持ち式蒸気装置が得られる。例えばねじ等でケーシング外壁装置内に蓄圧装置を固定する必要はない。対応する当接要素に当接させるだけで十分に固定が成され、その形状適合式の固定がケーシング填め込み部上での蓄圧装置の保持によって確実なものとなる。これによりケーシング填め込み部は、開口を閉じる役割を超え、機能的要素（つまり操作要素及び蓄圧装置）を保持する機能をも持つことになる。
【００２４】
第１のケーシング外壁及び／又は第２のケーシング外壁上に蓄圧装置用の少なくとも１つの当接要素が配置されていると特に非常に有利である。当接要素はその移動阻止作用を通じてケーシング外壁装置内での蓄圧装置のずれを防ぐ。その上で、蓄圧装置を（全体として）ケーシング填め込み部に固定することで、更なる移動が不可能となり、ケーシング内での固定が達成される。
【００２５】
一実施例では、蓄圧装置が、ケーシング填め込み部上で保持される接続用パイプを備えている。これにより、簡単な方法で蓄圧装置がケーシング填め込み部に固定される。
【００２６】
特に、ケーシング填め込み部におけるケーシング内への液体の浸入を防ぐために、接続用パイプとケーシング填め込み部との間にパッキングが配置される。
【００２７】
特に、接続用パイプには、ケーシング填め込み部を超えて外側からアクセスできる着脱自在な蓋が配置される。接続用パイプはメンテナンス開口である開口を備える。着脱自在な蓋を有する閉鎖部（特に安全用閉鎖部）を通じて、ケーシングの外部からでもメンテナンスのために蓄圧装置にアクセスできる。更に、例えばこの接続用パイプの開口を通じて蓄圧装置の貯留タンクを液体で満たすこともできる。
【００２８】
一実施例では、第１のケーシング外壁及び第２のケーシング外壁に接合面が割り当てられ、該接合面上で第１のケーシング外壁と第２のケーシング外壁が相互に接合される。これにより構造が簡単になる。
【００２９】
ケーシング填め込み部が装着されるケーシング外壁装置の開口が前記接合面上にあると有利である。これにより、簡単に製造できる簡素な構造が得られる。
【００３０】
一実施例では、ケーシング外壁装置へのケーシング填め込み部の填め込み方向が第１のケーシング外壁と第２のケーシング外壁の間の接合方向と交差するように、特に直交するように向けられている。これにより簡単な構造が得られるとともに部品点数が最小限に抑えられる。
【００３１】
特に、ケーシングが第１のケーシング外壁、第２のケーシング外壁及びケーシング填め込み部（のみ）から成る。
【００３２】
一実施例では、ケーシング外壁装置の開口が、該開口を通じて蓄圧装置を内部空間へ装入できるような寸法になっている。これにより製造が簡単になる。
【００３３】
ケーシング填め込み部がケーシング外壁装置に固定されていると有利である。この固定は、例えばネジ及び／又はボルトのような形状適合要素により行われ、加えて又はそれに代えて、例えば接着結合により行われる。
【００３４】
蒸気放出部操作要素、子供安全装置操作要素及びレバー要素を含む第１の構成ユニットと、蓄圧装置を含む第２の構成ユニットとが設けられ、第１の構成ユニット及び第２の構成ユニットがケーシング填め込み部上に配置されている及び／又は保持されていると特に非常に有利である。このようにすれば、全体で部品点数が最小限に抑えられるとともに、本発明に係る手持ち式蒸気装置が簡単に製造できる。
【００３５】
一実施例では、ケーシング填め込み部が屈曲又は湾曲した形状を有する。このようにすれば、例えば、握りを把持したときに親指等で操作できるように、操作要素を握りの近くに配置することができる。ケーシング填め込み部上においてこのような操作要素から離れた場所に、例えば着脱自在な蓋を配置することができる（特に、この着脱自在な蓋はケーシング填め込み部とではなく蓄圧装置と結合される）。
【００３６】
一実施例では、ケーシング填め込み部の第１の領域に蓄圧装置が保持され、前記第１の領域に対して屈曲又は湾曲した第２の領域に蒸気放出部操作要素及び／又は子供安全装置操作要素が配置される。これにより人間工学的に最適な構造が得られる。
【００３７】
以下の好ましい実施形態の既述では、図面と関連付けながら、本発明をより詳細に説明する。
【図面の簡単な説明】
【００３８】
【図１】手持ち式蒸気装置の一実施例の斜視図。
【図２】図１の手持ち式蒸気装置のケーシングを開いた（一方のケーシング外壁を外した）状態を示す図。
【図３】図１の手持ち式蒸気装置の断面図。
【図４】図１のＡ方向に見たケーシング填め込み部の上面図。
【図５】図４のケーシング填め込み部の斜視図。
【図６】図４のケーシング填め込み部の別の斜視図。
【図７】図４のケーシング填め込み部の側面図。
【図８】図４のケーシング填め込み部の断面図。
【図９】図１の手持ち式蒸気装置の蓄圧装置の斜視図。
【図１０】図９のＢ方向に見た蓄圧装置の側面図。
【図１１】図９の蓄圧装置の断面図。
【図１２】図９の蓄圧装置の別の断面図。
【図１３】図１２の一部拡大図。
【図１４】蓄圧装置のヒータ領域を取り外した状態で図１１のＣ方向に見た蓄圧装置の図。
【図１５】ヒータ領域を取り外した状態の蓄圧装置の斜視図。
【発明を実施するための形態】
【００３９】
各図面に描かれ、図１では全体として符号１０で示された手持ち式蒸気装置はケーシング１２を含む。ケーシング１２は、第１のケーシング外壁１６と第２のケーシング外壁１８とを有するケーシング外壁装置１４を含む。第１のケーシング外壁１６及び第２のケーシング外壁１８は接合面２０（図１）において互いに接合されている。特に、第１のケーシング外壁１６と第２のケーシグ外壁１８はネジで互いに固定されている。第１のケーシング外壁１６と第２のケーシグ外壁１８の間の接合領域にパッキングを配設してもよい。
【００４０】
第２のケーシング外壁１８は接合方向２２に沿って第１のケーシング外壁１６に被せられている。ケーシング１２内には内部空間２４が形成されている。第１のケーシング外壁１６及び第２のケーシング外壁１８は浴槽状に形成されている。
【００４１】
手持ち式蒸気装置１０は、握り、特に弓状の握り２６を備えている。この弓状の握り２６は弓部２８を含み、該弓部は、その第１の部分領域３０ａが第１のケーシング外壁１６上に形成され、また第２の部分領域３０ｂが第２のケーシング外壁１８上に形成されている。
【００４２】
弓部２８とケーシング外壁装置１４の壁３２の間には開口３４が形成されている。操作者は手持ち式蒸気装置１０の弓部２８を特に片手で把持することができ、その際、操作者の指が開口３４を通って反対側から出ることができる。
【００４３】
ケーシング外壁装置１４は弓状の握り２６とは反対側に開口３６を備えている。この開口３６には蒸気ノズル３８又はアダプタを着脱自在に配置できる。
【００４４】
図１に示した実施例では蒸気ノズル３８がケーシング外壁装置１４の開口３６に配置されている。この蒸気ノズル３８はホルダ体４０を備え、これに本来のノズル４２が装着されている。ホルダ体４０は円柱状に形成されている。ホルダ体は開口３６においてケーシング外壁装置１４の内部へ部分的に入り込んでいる。
【００４５】
ホルダ体４０の外側には１つ又は特に複数の当接要素４４が配置されている。当接要素４４はケーシング外壁装置１４内へのホルダ体４０の入り込みを制限する。ケーシング外壁装置１４は開口３６にリング要素４６を備えている。ケーシング外壁装置１４上での蒸気ノズル３８の位置が正しければ、当接要素４４がリング要素４６に当接し、それ以上ケーシング外壁装置１４内へ入り込めなくなる。
【００４６】
これに対応する当接位置においては、蒸気ノズル３８がロック機構４８を介してケーシング外壁装置１４に着脱自在にロック可能である。
【００４７】
ケーシング外壁装置１４は開口５０を備えている。この開口５０は蒸気ノズル３８乃至アダプタ用の開口３６と弓状の握り２６との間に位置している。
【００４８】
ケーシング１２のケーシング外壁装置１４は下面５２を備えている。この下面５２は手持ち式蒸気装置１０を台の上に置けるように構成されている。それに対応して下面５２は包絡面としての平面を備えている。手持ち式蒸気装置１０は、重力方向に対して水平な台の上に下面５２を載せて手持ち式蒸気装置を立てたときに該装置１０が傾かないように、全体として構成されている。
【００４９】
ケーシング外壁装置１４の開口５０は接合面２０の領域にある。そのために、接合面２０の領域において、第１のケーシング外壁１６が第１の部分開口５４ａを備え、第２のケーシング外壁１８が第２の部分開口５４ｂを備えている。第１の部分開口５４ａと第２の部分開口５４ｂが合わさって開口５０を形成する。第１の部分開口５４ａと第２の部分開口５４ｂは、第１のケーシング外壁１６乃至第２のケーシング外壁１８の各々の壁５８上の切除部５６により形成されている。
【００５０】
ケーシング１２は、開口５０に配置されたケーシング填め込み部５８により閉じられている。特に、ケーシング外壁装置１４へのケーシング填め込み部５８の填め込み方向６０は、下面５２と開口５０の間のケーシング１２の高さ方向に平行である。填め込み方向６０は第１のケーシング外壁１６と第２のケーシング外壁１８の間の接合方向２２と交差しており、好ましくは少なくともほぼ直交している。
【００５１】
ケーシング填め込み部５８によりケーシング外壁装置１４は開口５０にて液密に閉じられる。そのためにケーシング填め込み部５８は、例えばネジ止めや接着等によりケーシング外壁装置１４と適宜接合される。
【００５２】
開口５０とケーシング填め込み部５８はロック機構４８の掛け金６２の傍の領域から弓状の握り２６の範囲内まで延在している。
【００５３】
特に、ケーシング１２は第１のケーシング外壁１６と第２のケーシング外壁１８とを有するケーシング外壁装置１４並びにケーシング填め込み部５８から成る。他にケーシング部品はない。
【００５４】
ケーシング填め込み部５８上には手持ち式蒸気装置１０の操作要素及び機能的要素が配置されている。
【００５５】
ケーシング填め込み部５８（図４〜図８）は第１の領域６４を備えている。この第１の領域６４は開口３６乃至掛け金６２に隣接する部分領域において開口５０を閉じる役割を果たす。第１の領域６４は接続用パイプ６６を含む。接続用パイプ６６はケーシング１２の内部空間２４の方を向いている。この接続用パイプ６６に蓄圧装置７０（蒸気釜装置７０）側の接続用パイプ６８が固定される。第１の領域６４を介してケーシング填め込み部５８が蓄圧装置７０を保持する。蓄圧装置７０はケーシングの内部空間２４内に位置している。
【００５６】
ケーシング填め込み部５８の第１の領域６４の接続用パイプ６６と蓄圧装置７０の接続用パイプ６８の間にはパッキング７２が配置されている。これがケーシング１２を液密に閉じる働きをする。
【００５７】
例として、ケーシング填め込み部５８の接続用パイプ６６は、垂直部７６を有する隆起領域７４を備え、その垂直部上にパッキング７２が保持されている。
【００５８】
ケーシング１２の内部空間２４には蓄圧装置７０用の当接要素７８が第１のケーシング外壁１６及び／又は第２のケーシング外壁１８上に配置されている。これら当接要素７８の間に蓄圧装置７０をはめ込むことができる。これにより、内部空間２４内での蓄圧装置７０の移動を禁止して該蓄圧装置７０をケーシング１２内に固定する形状適合部が作り出される。
【００５９】
填め込み方向６０と逆方向への移動は、蓄圧装置７０がケーシング填め込み部５８上に保持されていることにより、該ケーシング填め込み部５８によって禁止される。ケーシング填め込み部５８がケーシング外壁装置１４に装着されているとき、蓄圧装置７０は内部空間２４で一切移動できない。また蓄圧装置７０をケーシング１２にネジで固定する必要はない。
【００６０】
製造の際は、例えば第１のケーシング外壁１６を第２のケーシング外壁１８と接合することによりケーシング外壁装置１４を作る。蓄圧装置７０は開口５０を通じてケーシング外壁装置１４の内部空間２４へ装入できる。蓄圧装置は当接要素７８に当接される。接続用パイプ６８を介して蓄積装置７０をケーシング填め込み部５８に固定することにより、ケーシング１２内での蓄積装置７０の位置が最終的に定まる。
【００６１】
原理的には、例えばケーシング外壁装置１４を開いた状態で、蓄圧装置７０をそれに対応した第１のケーシング外壁１６又は第２のケーシング外壁１８に配置した後、第１のケーシング外壁装置１６を第２のケーシング外壁装置１８と接合してケーシング外壁装置１４を閉じ、更に今度は開口５０をケーシング填め込み部５８により閉じると、接続用パイプ６８がケーシング填め込み部５８に固定される、というようにすることも可能である。
【００６２】
蓄圧装置７０は接続用パイプ６８上に開口８０を備えている。この開口８０は蓄圧装置７０のためのメンテナンス開口である。開口８０には蓋８２が装着されている。蓋８２は蓄圧装置７０を閉じる。この蓋は取り外し可能である。特にこの蓋は安全用閉鎖部として構成されている。蓋８２はケーシング１２の外側からアクセス可能であり、取り外し乃至取り付け可能である。それに対応して、ケーシング填め込み部５８の第１の領域６４は開口８０に割り当てられた開口８４を備えている。特に、この開口８４は接続用パイプ６８の開口８０よりも直径が大きい。開口８４を通じて蓋８２を蓄圧装置７０の接続用パイプ６８に被せることができる。
【００６３】
好ましい実施形態では、ケーシング填め込み５８が蓋８２の固定機能を持つことなく、蓄圧装置７０へのアクセスだけを可能にするように、ケーシング填め込み部５８とその開口８４が構成されている。蓄圧装置７０へのケーシング填め込み部５８の「結合」は、ケーシング填め込み部５８の接続用パイプ６６により接続用パイプ６８を保持することで行われる。
【００６４】
一実施例では、ケーシング填め込み部５８が第１の領域６４において浴槽状に形成されている。高く引き上げられた縁８６があり、それが凹部８８を囲繞している。凹部８８内に開口８４が形成されている。凹部８８の裏側に接続用パイプ６６がある。
【００６５】
蓋８２は少なくともその一部が凹部８８内に位置している。
【００６６】
ケーシング填め込み部５８の第１の領域６４の隣には第２の領域９０がある。特に、この第２の領域９０は第１の領域に対して屈曲又は湾曲している（図５〜図８）。
【００６７】
第２の領域９０は、ケーシング填め込み部５８がケーシング１２上に固定されているとき、弓状の握り２６に隣接して、又はその範囲内に配置される。第２の領域９０上には手持ち式蒸気装置１０の操作要素がある。
【００６８】
第２の領域９０には蒸気放出部操作要素９２が配置されている。特に、蒸気放出部操作要素９２は押下スイッチとして構成されている。蒸気放出部操作要素９２の押下により操作者は蒸気放出部を開放することができる。
【００６９】
特に、蒸気放出部操作要素９２は、弓状の握り２６に対して、操作者が片手で手持ち式蒸気装置の弓状の握り２６を把持したときに該蒸気放出部操作要素９２を親指で動かせるように配置されている。
【００７０】
第２の領域９０には更に子供安全装置操作要素９４が配置されている。子供安全装置操作要素９４は例えばスライドスイッチ又はロッカスイッチとして構成される。子供安全装置操作要素９４には禁止位置９６と解放位置９８がある。禁止位置９６では蒸気放出部操作要素９２が蒸気弁１００を開くように作用できず、以て蒸気の放出が禁止される。これに対して開放位置９８では蒸気放出部操作要素９２が蒸気弁１００を開くように作用できる。
【００７１】
蓄圧装置７０上には蒸気弁１００がある。蒸気弁１００は弁体１０２を含む。この弁体１０２は正／逆方向１０４に移動するように弁ハウジング１０６内に配置されている。この正／逆方向１０４が蒸気弁１００の操作方向である。
【００７２】
正／逆方向１０４はケーシング１２の下面５２と交差しており、特に直交している。また正／逆方向１０４は填め込み方向６０に対して少なくともほぼ平行である。
【００７３】
力を受けていない状態では弁体１０２が蒸気の通過を禁止する。これに対し、力が加えられ、それに応じて弁体１０２が弁ハウジング１０６内で移動すると、蒸気放出部が開放される。そしてこの蒸気を蓄圧装置７０から開口３６へ供給することができる。そのために弁ハウジング１０６と開口３６の間には（蒸気）管が適宜配置されている。
【００７４】
ケーシング填め込み部５８には特に第２の領域９０に接してレバー要素１０８がある。レバー要素１０８はケーシング填め込み部５８上に揺動自在に配置されている。揺動自在であるのはレバー要素１０８の全体でもよいし、一部のみでもよい。この揺動自在性は、適宜の連結装置を用いて、又はレバー要素１０８自身の弾性により実現できる。
【００７５】
弁体１０２は作用領域１１０を備えており（図１１〜図１３参照）、該領域にレバー要素１０８が（反）作用領域１１２で以て作用することができる。
【００７６】
弁体１０２はバネ装置１４（図１２及び図１３）を介して弁ハウジング１０６上で支持されている。
【００７７】
バネ装置１１４は、弁体１０２が力を受けていない位置にあるとき、該弁体１０２が閉じた状態となってケーシング填め込み部５８の方向へ押されるように配置及び構成されている。バネ装置１１４のバネ力の作用に抗して弁体１０２が弁座１１６から引き離されると蒸気弁１００が開く。この力は蒸気放出部操作要素９２を介して投入され、レバー要素１０８介して伝達されて蒸気弁１００の作用領域１１０に加わる。
【００７８】
レバー要素１０８は別の作用領域１１８を有している。この作用領域１１８に蒸気放出部操作要素９２が作用することで、蒸気弁１００に作用するための作用領域１１２におけるレバー要素１０８の揺動を生じさせる。
【００７９】
レバー要素１０８の作用領域１１８は子供安全装置領域１２０と結合されており、特に一体的に結合されている。レバー要素１０８の子供安全装置領域１２０は子供安全装置操作要素９４に割り当てられている。子供安全装置操作要素９４は子供安全装置領域１２０に作用することができる。
【００８０】
レバー要素１０８と子供安全装置領域１２０は、子供安全装置操作要素９４が禁止位置９６にあるときにはレバー要素１０８がその作用領域１１２において全く又は十分に揺動せず、弁体１０２の開放動作を生じさせない、というように構成されている。例えば子供安全装置領域１２０は、禁止位置９６及び解放位置９８の切り替えに応じてレバー要素１０８の揺動軸が変わり、禁止位置９６では蒸気放出部操作要素９２を通じて投入可能な力が不十分となって、十分な揺動が生じない、というように構成される。
【００８１】
蒸気弁１００の作用領域１１０とレバー要素１０８の作用領域１１２の間にはバネ装置１２２が配置されている。このバネ装置は例えば渦巻きバネ等の単一のバネを含む。このバネは例えば作用領域１１０の溝（特にリング溝）と、それに対応した作用領域１１２の溝、特にリング溝に放射状に固定される。
【００８２】
バネ装置１２２はレバー要素１０８から弁体１０２への力の伝達を可能にするために適宜の硬さを有する。
【００８３】
バネ装置１２２を設けることで、作用領域１１０を作用領域１１２から離すこと、つまり両者を直接機械的に接触させる必要がないようにすることができる。これにより、ケーシング１２とケーシング填め込み部５８の製造時の製造公差を補うことができる。バネ装置１２２がその公差を補う。
【００８４】
一実施例では、レバー要素１０８が第１の側部１２４ａと第２の側部１２４ｂを備えている。第１の側部１２４ａと第２の側部１２４ｂの間に作用領域１１２が配置されている。第１の側部１２４ａ及び第２の側部１２４ｂは作用領域１１２の側方からそれぞれ左右に離れるように延在している。
【００８５】
第１の側部１２４ａ及び第２の側部１２４ｂはそれぞれ接触面１２６を備えており、この面を介して対向面１２８に当接している。対向面はケーシング填め込み部５８上に形成されている。例えばこの面は第１の領域６４上で接続用パイプ６６の近くに形成されている。
【００８６】
接触面１２６と対向面１２８の接触により、ケーシング１２の内部空間２４におけるレバー要素１０８の運動のための案内部が形成されている。
【００８７】
レバー要素１０８には、蒸気放出部操作要素９２の解放時にレバー要素１０８を元の位置に持ち上げる戻し装置が割り当てられている。そのためには、レバー要素１０８に専用の戻し装置を割り当てればよい。例えば、レバー装置１０８と一緒に成形されるバネ装置を設けることができる。また、レバー要素１０８自身が弾性を有し、蒸気放出部操作要素９２の解放後に自らの弾性により戻し動作が生じるようにしてもよい。
【００８８】
一実施例では蒸気弁１００のバネ装置１１４もレバー要素１０８の戻し動作に利用される。操作者が蒸気放出部操作要素９２を十分な力で押すと、レバー要素１０８の作用領域１１２が蒸気弁１００の作用領域１１０を押し、弁座１１６から弁体１０２が引き離されて弁が開く。前記の力が解除されると、バネ装置１１４により弁体１０２が押し戻され、弁座１１６に押し付けられる。この際に作用領域１１０も移動し、それによりレバー要素１１２を出発位置（非作動位置）まで押し戻すことができる。
【００８９】
手持ち式蒸気装置１０は以下のように機能する。
【００９０】
ケーシング１２は、第１のケーシング外壁１６、第２のケーシング外壁１８及びケーシング填め込み部５８から成る。ケーシング填め込み部５８が手持ち式蒸気装置１０の全ての重要な機能的部品及び操作要素を保持している。特に、操作要素としての蒸気放出部操作要素９２と子供安全装置操作要素９４がケーシング填め込み部５８に配置されている。更にレバー要素１０８がケーシング填め込み部５８に配置されている。これらの要素（蒸気放出部操作要素９２、子供安全装置操作要素９４及びレバー要素１０８）が手持ち式蒸気装置の第１の構成ユニットを形成している。この第１の構成ユニットは完全にケーシング填め込み部５８に配置されている。
【００９１】
蓄圧装置７０は手持ち式蒸気装置の第２の構成ユニットである。この第２の構成ユニットもケーシング填め込み部５８に保持されている。
【００９２】
ケーシング填め込み部５８はケーシング１２上で第１の構成ユニット及び第２の構成ユニットの双方を相対的に固定する。ケーシング１２のうちケーシング外壁装置１４の部分は、いわばそれら構成ユニットの被覆でしかない。ケーシング１２上での固定はケーシング填め込み部５８（蓄圧装置７０については当接要素７８との共同）によりもたらされる。
【００９３】
以上のような手持ち式蒸気装置１０は簡単に製造できる。製造の際、まず第１の構成ユニットをケーシング填め込み部５８に固定する。次に第２の構成ユニットをケーシング填め込み部５８に固定する。この第２の構成ユニットをケーシング外壁装置１４内へ装入する。ケーシング填め込み部５８をケーシング外壁装置１４に最終的に固定することで、第２の構成ユニットのケーシング１２への最終的な固定も達成される。
【００９４】
ケーシング外壁装置１４の開口５０は、一実施例では、第１のケーシング外壁１６と第２のケーシング外壁１８を接合してケーシング外壁装置１４が完成したときに該第１の開口５０を通じて蓄圧装置７０を内部空間２４へ装入できるような大きさで形成されている。
【００９５】
その際、予め蓄圧装置７０がケーシング填め込み部５８に保持されていてもよいし、後からケーシング填め込み部４８を蓄圧装置７０に固定するとともにケーシング外壁装置１４に固定してもよい。
【００９６】
蓄圧装置７０を第１のケーシング外壁１６又は第２のケーシング外壁１８の中に入れてからケーシング外壁装置１４を閉じた後、ケーシング填め込み部５８を填め込み方向６０に填め込むことも原理的には可能である。
【００９７】
本発明に係る解決策により部品点数が最小限に抑えられる。また手持ち式蒸気装置の製造が容易になる。
【００９８】
製造公差があってもバネ装置１２２により確実に蒸気弁１００を作動させることができる。これにより今度は製造が容易になる。
【００９９】
蓄圧装置７０は貯留タンク１３０（圧力釜）を備えている。貯留タンクは、第１の領域１３２と、該第１の領域上に配置された第２の領域１３４と、前記第１の領域１３２のすぐ下に配置された第３の領域１３６とを含む。第３の領域１３６を介して貯留タンク１３０がケーシング１２の内部空間２４内で下面５２の上又はその近くに当接要素７８を介して固定される。
【０１００】
一実施例では、第３の領域１３６が第１の領域１３２から取り外し可能であり、例えば第１の領域１３２と第３の領域１３６がネジ又はボルトで液密に相互に接合されている。
【０１０１】
第３の領域１３６上にはヒータ１３８、特に電熱器が配置されている。これにより、貯留タンク１３０内で液体（特に水）から蒸気（特に水蒸気）を発生させ、引き出し可能な状態でそこに蓄えることができる。
【０１０２】
ケーシング１２には電気的な接続装置１４０が配置されており、これを通じてヒータ１３８を給電網に接続することで、ヒータ１３８に必要な電力を供給することができる。
【０１０３】
一実施例では、第３の領域１３６がフランジ１４２ａを備え、第１の領域１３２が対向フランジ１４２ｂを備えている。フランジ１４２ａ及び対向フランジ１４２ｂを介して第１の領域と第３の領域が相互に結合されている。
【０１０４】
第２の領域１３４には開口８０を有する接続用パイプ６８が形成されている。それに対応して、蓄圧装置７０並びにメンテナンス開口８０を閉じるための要素である蓋も、貯留タンク１３０の第２の領域１３４に装着されている。
【０１０５】
蒸気弁１００は第１の領域１３２上にある。
【０１０６】
第２の領域１３４と第１の領域１３２の間には凹部１４４が貯留タンク１３０上に形成されている。この凹部は第１の領域１３２の第１の壁１４６と第２の領域の第２の壁１４８により区画されている。第１の壁１４６と第２の壁１４８は互いに交差（例えば直交）している。またこれらの壁は互いにつながっている。
【０１０７】
蒸気弁１００は第１の領域１３２の第１の壁１４６上にあり、特に第２の領域１３４の第２の壁１４８から離れた位置にある。
【０１０８】
凹部１４４では貯留タンク１３０が段部１５０を備えている。この段部１５０は図１１に符号１５０で示されている。
【０１０９】
蒸気弁は接続用パイプ６８に少なくともほぼ平行に向きが揃えられている。
【０１１０】
第２の領域１３４にある蓄圧装置７０の開口８０は開口方向１５２を有している。この開口方向１５２は下面５２と交差しており、特に直交している。
【０１１１】
蒸気弁１００は凹部１４４内において開口方向１５２と平行に配置されている。弁ハウジング１０６内での弁体１０２の運動の正／逆方向１０４は開口８０の開口方向１５２と少なくともほぼ平行である。
【０１１２】
正／逆方向１０４と、蒸気弁１００の平行な延在方向は、特に第１の領域１３２と第３の領域１３６の間の接合方向に対して交差（特に直交）するように向きが決められている。
【０１１３】
貯留タンク１３０は開口８０上に屋根部１５４を備えている。凹部１４４は、蒸気弁１００の適宜の高さに対して、該蒸気弁１００が屋根部１５４から開口方向１５２に全く又は僅かしか突出しないように構成されている。特に、蒸気弁１００は屋根部１５４の上に最大５ｃｍしか突出しない。
【０１１４】
これにより、蓄圧装置７０の（正／逆方向１０４乃至開口方向１５２に平行な高さ方向の）高さ寸法が小さく保たれる。これにより、対応するケーシング１２の高さ寸法も小さく保たれる。これにより、手で持てる手持ち式蒸気装置１０が実現できる。
【０１１５】
蒸気弁１００は蒸気のための排気用接続部１５６を備えている（例えば図９参照）。この排気用接続部１５６は弁ハウジング１０６の側面に配置されており、正／逆方向１０４乃至開口方向１５２と交差する（例えば直交する）ように位置している。特に、該接続部は凹部１４４内に配置されている。排気用接続部１５６を介して蒸気用の排出管が開口３６と接続される。
【０１１６】
第１の壁１４６上では放出開口１６０が凹部１４４に形成されている（例えば図１２参照）。放出開口１６０の上に蒸気弁１００が配置されている。弁ハウジング１０６が放出開口１６０を第１の壁１４６の外側で囲繞している。放出開口１６０を通じて蒸気を蒸気弁１００に通して放出することができる。放出開口１６０により、貯留タンク１３０の内部空間１６２まで流体が流れる接続路が形成される。放出開口１６０のある領域において、内部空間１６２に筒状要素１６４が配置されている。筒状要素１６４の壁の一部は、それに対応する貯留タンク１３０の第１の領域１３２の壁１６６により形成されている。筒状要素１６４の一部１６８は第１の壁１４６に接続されている。一実施形態では、この部分１６８を第２の領域１３４へ延長したものが第２の壁１４８となっている。
【０１１７】
筒状要素１６４により、内部空間１６２内において放出開口１６０の手前に部分空間１７０が形成されている。この部分空間１７０はせき止め格子１７２により仕切られている。せき止め格子は筒状要素１６４に固定されている。
【０１１８】
更に、内部空間１６２にはピン状要素１７４が配置されている。ピン状要素は特に壁１６６に固定乃至はその表面に形成されている。ピン状要素１７４はせき止め格子を保持している。
【０１１９】
せき止め格子１７２は放出開口１６０を通じて放出される可能性がある粒子をせき止めるためのものである。放出開口１６０は部分空間１７０よりも断面積が小さい。せき止め格子１７２により特に放出開口１６０乃至蒸気弁１００の詰まりや損傷が防止される。
【０１２０】
内部空間１６２には壁１７６が配置されている。この壁は、開口方向１５２と少なくともほぼ平行に延在し、第２の領域１３４から始まって第１の領域１３２に入っている、つまり第１の壁１４６より突出している。壁１７６は第１の領域１３２及び第２の領域１３４内で部分空間１７８を区画している。この部分空間１７８は手持ち式蒸気装置１０の蒸気発生動作の際に蒸気室となる。この部分空間１７８には液体が全く乃至は可能な限り入り込まないようにしなければならない。
【０１２１】
壁１７６は天井壁１５８から始まり、その高さは、内壁１６８まで延長された第２の壁１４８よりも大きい。
【０１２２】
ピン状要素１７４には整流要素１８０が固定されている。整流要素１８０は、特に金属板部品であり、部分空間１７８（部分空間１７０を含む）を内部空間１６２の他の部分から区画している。
【０１２３】
整流要素１８０は、蒸気を通過させる１つ又は複数の隙間１８２まで閉じた状態で形成されている。整流要素１８０は部分空間１７８への水の浸入を可能な限り阻止する。
【０１２４】
一実施例では、整流要素１８０が更にせき止め格子１７２上で支持部１８４を介して支えられてもいる。
【０１２５】
整流要素１８０は、一実施例では、壁１７６（部分空間１７８までの部分）及び／又は壁１６６の内面１８６に緩く当接している。そこに前記１つ又は複数の隙間１８２が形成され得る。
【０１２６】
隙間の幅は、特に０．２ｍｍから１．０ｍｍの間、例えば０．４ｍｍから０．６ｍｍの間にある。
【０１２７】
一実施例では、整流要素１８０に１つ又は複数の剥ぎ取りエッジ１８８がある。剥ぎ取りエッジ１８８は、まさに部分空間１７８への液体の浸入を十分に回避するために、整流要素１８０の下方で液体の流れを「静める」働きをする。
【０１２８】
一実施例では、整流要素１８０が第１の領域１９０と第２の領域１９２を備えている。第２の領域１９２は第１の領域１９０に対して湾曲乃至屈曲している。そうすると第１の領域１９０と第２の領域１９２の間に剥ぎ取りエッジ１８８が形成される。
【０１２９】
例として、第２の領域１９２は壁１７６を指しており、例えばこの壁に（特に隙間１８２を空けて）当接している。
【０１３０】
手持ち式蒸気装置１０の動作時には、まず貯留タンク１３が液体（特に水）で満たされる（特に部分的に満たされる）。特に、液体は開口８０を通じて貯留タンク１３０に注入される。蒸気発生動作の際には蓋８２が開口８０に固定される。ヒータ１３８を作動させることで液体を蒸発させる。貯留タンク１３０には液体の収容空間１９４がある。該タンクには更に蒸気の収容空間１９６がある。これらの収容空間１９４、１９６の相対的な大きさは可変であり、特に液体の使用量によって変わる。部分空間１７８は理想的には純粋に蒸気だけの空間である。この空間には液体が存在しないため、蒸気だけがそこに滞留し、この蒸気を放出することができる。
【０１３１】
せき止め格子１７２と整流要素１８０の間には一定の最小間隔が設けられている。それは例えば最小でも１ｍｍである。
【０１３２】
貯留タンク１３０内では動作中にヒータ１３８を介して液体から蒸気が生成されるとともにそこに蓄積される。蒸気放出部操作要素９２が押下されると、蒸気放出部が開放される。即ち、弁体１０２が弁座１１６から引き離され、圧力の下で貯留タンク内１３０に蓄積された蒸気が放出開口１６０を通じて流出し、蒸気ノズル３８を通って例えば洗浄のため等に適宜利用される。
【０１３３】
整流要素１８０があるため、手持ち式蒸気装置１０は様々な姿勢で使用可能である。開口方向１５２（貯留タンク１３０の高さ方向）を重力方向ｇと平行にする必要はない。重力方向ｇに対して傾いた姿勢にすることもできる。その際、整流要素１８０が部分空間１７８への液体の浸入を十分に阻止する。
【０１３４】
蓄圧装置７０がその高さ寸法を最小限に抑えてコンパクトに構成されているため、ケーシング１２の寸法も、液体の収容能力に関して大幅な妥協を余儀なくされることなく、最小限に抑えることができる。
【０１３５】
蓄圧装置７０とその上に配置された蒸気弁１００は、手持ち式蒸気装置１０の製造時にユニットとして取り扱い、全体としてケーシング填め込み部５８に保持させることができる。必要な部品点数が最小限に抑えられ、それが今度は製造をも容易にする。
【０１３６】
一実施例では、蒸気弁１００乃至蒸気弁１００の重要な部品（弁体１０２、弁ハウジング１０６、弁座１１６）がプラスチック材料で製造される。
【０１３７】
手持ち式蒸気装置１０が動いても、整流要素１８０により液体表面が静められるため、蒸気流に液体が引きさらわれることが十分に阻止される。
【符号の説明】
【０１３８】
１０  手持ち式蒸気装置
１２  ケーシング
１４  ケーシング外壁装置
１６  第１のケーシング外壁
１８  第２のケーシング外壁
２０  接合面
２２  接合方向
２４  内部空間
２６  弓状の握り
２８  弓部
３０ａ  第１の部分領域
３０ｂ  第２の部分領域
３２  壁
３４  開口
３６  開口
３８  蒸気ノズル
４０  ホルダ体
４２  ノズル
４４  当接要素
４６  リング要素
４８  ロック機構
５０  開口
５２  下面
５４ａ  第１の部分開口
５４ｂ  第２の部分開口
５６  切除部
５８  ケーシング填め込み部
６０  填め込み方向
６２  掛け金
６４  第１の領域
６６  接続用パイプ（ケーシング填め込み部）
６８  接続用パイプ（蓄圧装置）
７０  蓄圧装置
７２  パッキング
７４  隆起領域
７６  垂直部
７８  当接要素
８０  開口（貯留タンク）
８２  蓋
８４  開口
８６  縁
８８  凹部
９０  第２の領域
９２  蒸気放出部操作要素
９４  子供安全装置操作要素
９６  禁止位置
９８  解放位置
１００  蒸気弁
１０２  弁体
１０４  正／逆方向
１０６  弁ハウジング
１０８  レバー要素
１１０  作用領域（蒸気弁）
１１２  作用領域（レバー要素）
１１４  バネ装置
１１６  弁座
１１８  作用領域（レバー要素）
１２０  子供安全装置領域
１２２  バネ装置
１２４ａ  第１の側部
１２４ｂ  第２の側部
１２６  接触面
１２８  対向面
１３０  貯留タンク
１３２  第１の領域
１３４  第２の領域
１３６  第３の領域
１３８  ヒータ
１４０  電気的な接続装置
１４２ａ  フランジ
１４２ｂ  対向フランジ
１４４  凹部
１４６  第１の壁
１４８  第２の壁
１５０  段部
１５２  開口方向
１５４  屋根部
１５６  排気用接続部
１５８  天井壁
１６０  放出開口
１６２  内部空間
１６４  筒状要素
１６６  壁
１６８  壁の一部
１７０  部分空間
１７２  せき止め格子
１７４  ピン状要素
１７６  壁
１７８  部分空間
１８０  整流要素
１８２  隙間
１８４  段部
１８６  内側
１８８  剥ぎ取りカバー
１９０  第１の領域
１９２  第２の領域
１９４  収容空間
１９６  収容空間
【図１】
0006487948.tif 000002
【図２】
0006487948.tif 000003
【図３】
0006487948.tif 000004
【図４】
0006487948.tif 000005
【図５】
0006487948.tif 000006
【図６】
0006487948.tif 000007
【図７】
0006487948.tif 000008
【図８】
0006487948.tif 000009
【図９】
0006487948.tif 000010
【図１０】
0006487948.tif 000011
【図１１】
0006487948.tif 000012
【図１２】
0006487948.tif 000013
【図１３】
0006487948.tif 000014
【図１４】
0006487948.tif 000015
【図１５】
0006487948.tif 000016